(57)【要約】【課題】  下方から吸引した空気をフィルターで浄化して上方へ吹き出す空気清浄機を遊技機が列設された島の垂直壁の上部に設置した空気清浄機の設置構造において、空気清浄機のフィルターの交換や遊技機の点検を容易に行えるようにする。【解決手段】  遊技機４０の島の垂直壁５０に有する遊技機１０の点検口５１に空気清浄機１０をその点検口５１を閉塞するように垂直壁５０に対して手前側へ傾動可能に上端部で枢支し、その空気清浄機１０を垂直・所定の傾斜角度及び略水平の状態に切り替え及びその状態を保持する切替保持手段３０を設ける。切替保持手段３０は、垂直壁５１の上端に複数の歯を備えたラック３１を縦向きに取り付け、ラック３１と解除可能に歯合するレバー３２を空気清浄機１０に取り付け、レバー３２をバネ３３でラック３１に付勢する。【選択図】  図６
2010136974.tif 000002
【特許請求の範囲】
【請求項１】
下方から吸引した空気をフィルターで浄化して上方へ吹き出す空気清浄機を遊技機が列設された島の垂直壁の上部に設置した空気清浄機の設置構造であって、島の垂直壁には遊技機の点検口を有し、空気清浄機はその点検口を閉塞するように垂直壁に対して手前側へ傾動可能に上端部で枢支し、その空気清浄機を垂直・所定の傾斜角度及び略水平の状態に切り替え及びその状態を保持する切替保持手段を設けたことを特徴とする、空気清浄機の設置構造。
【請求項２】
切替保持手段が、垂直壁の上端に複数の歯を備えたラックを縦向きに取り付け、ラックと解除可能に歯合するレバーを空気清浄機に取り付け、レバーをバネでラックに付勢した構造である、請求項１記載の空気清浄機の設置構造。
【請求項３】
枢支位置より高所の位置と空気清浄機の所定位置との間にバネを掛架して縮み方向に付勢した、請求項１又は２記載の空気清浄機の設置構造。
【請求項４】
複数の空気清浄機を横方向に隣設するものにおいて、空気清浄機の片端部又は両端部に隣の空気清浄機との間隔を閉塞する閉塞板をスライド又は折り畳み可能に設けた、請求項１〜３いずれか記載の空気清浄機の設置構造。
【発明の詳細な説明】
【技術分野】
【０００１】
本発明は、遊技機が列設された島に設置される空気清浄機の設置構造に関する。
【背景技術】
【０００２】
従来、遊技機が列設された島に設置される空気清浄機としては、例えば特許文献１に開示されているものがある。この空気清浄機は、下方から吸引した空気をフィルターで浄化して上方へ吹き出す構造であり、島の垂直壁に有する点検口を閉塞するように配置し、垂直壁に対して手前側へ傾動可能に上端部で枢支している。
【０００３】
ところで、前記技術では、空気清浄機のフィルターの交換や遊技機の点検は空気清浄機を手前へ動かして成されるが、空気清浄機を略水平又は傾けた状態に保持する手段がないので、持ち上げた空気清浄機を支えながら作業する必要があり、作業し難いという問題があった。
【特許文献１】特開平１１−２２６３５９号公報
【発明の開示】
【発明が解決しようとする課題】
【０００４】
本発明が解決しようとする課題は、従来のこれらの問題点を解消し、空気清浄機のフィルターの交換や遊技機の点検を容易に行える空気清浄機の設置構造を提供することにある。
【課題を解決するための手段】
【０００５】
かかる課題を解決した本発明の構成は、
１）  下方から吸引した空気をフィルターで浄化して上方へ吹き出す空気清浄機を遊技機が列設された島の垂直壁の上部に設置した空気清浄機の設置構造であって、島の垂直壁には遊技機の点検口を有し、空気清浄機はその点検口を閉塞するように垂直壁に対して手前側へ傾動可能に上端部で枢支し、その空気清浄機を垂直・所定の傾斜角度及び略水平の状態に切り替え及びその状態を保持する切替保持手段を設けたことを特徴とする、空気清浄機の設置構造
２）  切替保持手段が、垂直壁の上端に複数の歯を備えたラックを縦向きに取り付け、ラックと解除可能に歯合するレバーを空気清浄機に取り付け、レバーをバネでラックに付勢した構造である、前記１）記載の空気清浄機の設置構造
３）  枢支位置より高所の位置と空気清浄機の所定位置との間にバネを掛架して縮み方向に付勢した、前記１）又は２）記載の空気清浄機の設置構造
４）  複数の空気清浄機を横方向に隣設するものにおいて、空気清浄機の片端部又は両端部に隣の空気清浄機との間隔を閉塞する閉塞板をスライド又は折り畳み可能に設けた、前記１）〜３）いずれか記載の空気清浄機の設置構造
にある。
【発明の効果】
【０００６】
本発明によれば、空気清浄機のフィルターを交換する場合、切替保持手段で保持を解除して空気清浄機を持ち上げ、その後切替保持手段で所定の傾斜角度に保持することで、空気清浄機を支えることなく両手が空いた状態でフィルターの交換作業が容易に行えるようになる。遊技機を点検する場合は、切替保持手段で保持を解除して空気清浄機を持ち上げ、その後切替保持手段で略水平に保持することで、空気清浄機を支えることなく両手が空いた状態で点検口を通じて遊技機の点検作業が容易に行えるようになる。
【発明を実施するための最良の形態】
【０００７】
本発明の切替保持手段としては、請求項２記載の構成のものが簡素な構造で低コストで実施できる。請求項３記載の構成を具備すると、空気清浄機の持ち上げる際にバネの引張力が加勢され、小さな力で楽に持ち上げることができる。請求項４記載の構成を具備すると、左右の空気清浄機の間隔を流れようとする空気が閉塞板で遮蔽され、その遮蔽された空気が左右の空気清浄機へ吸引されて浄化の効率が向上する。以下、本発明の実施例を図面に基づいて具体的に説明する。
【実施例１】
【０００８】
図１は実施例の空気清浄機の使用状態を示す説明図、図２は実施例の空気清浄機の内部説明図、図３は実施例の切替保持手段のラックの説明図、図４は実施例の閉塞板の説明図、図５は実施例の幕板の開閉を示す説明図、図６，７は実施例の空気清浄機の傾動を示す説明図である。
【０００９】
図中、１０は空気清浄機、１１はケース、１１ａ，１１ｂは仕切板、１２は吸込口、１３は吹出口、１４は通風路、１５はクロスフローファン、１６はフィルター、１７はイオン発生器、１８は閉塞板、１８ａはスライド溝、１９は幕板、１９ａ，１９ｂは蝶番、２０は枢支部、２１は吊具、２２は受具、２３は軸、２４はバネ、３０は切替保持手段、３１はラック、３２はレバー、３３はバネ、３４は操作口、４０は遊技機、５０は垂直壁、５１は点検口、５２は横桟、６０は点検調整部、ｈは遊技者である。
【００１０】
本実施例の空気清浄機１０は、図２に示すように、ケース１１の上下面に吸込口１２と吹出口１３を開口し、吸込口１２と吹出口１３との間に形成された通風路１４にクロスフローファン１５を取り付け、吸込口１２にグリルで挟んだフィルター１６を脱着可能に取り付け、通風路１４の隣接位置にマイナスイオンを通風路１４へ供給するイオン発生器１７を取り付け、ケース１１の両端部にスライド溝１８ａを形成して閉塞板１８をスライド可能に挿入している。
【００１１】
枢支部２０は、図２に示すように、壁５０の横桟５２に吊具２１を左右に取り付け、空気清浄機１０のケース１１の上端に一対の受具２２を左右に取り付け、吊具２１と受具２２とを枢支し、吊具２１の枢支位置より高所の位置に軸２３を設け、その軸２３とケース１１内との間にバネ２４を掛架して縮み方向に付勢し、空気清浄機１０を垂直の向きにした場合に背面の壁５０の点検口５１が閉塞されるようにしている。点検口５１の奥部には遊技機４０の点検調整部６０が配置されている。空気清浄機１０の正面には、図１，５に示すように、幕板１９を蝶番１９ａ，１９ｂで開放可能に取り付け、常時は降ろして空気清浄機１０が目立たないようにしている。
【００１２】
切替保持手段３０は、図２に示すように、横桟５２の吊具２１と隣接する位置にラック３１を縦向きに取り付け、ケース１１内のラック３１下方位置に穴が形成された仕切板１１ａ，１１ｂを上下に設け、ケース１１の天板のラック３１下方位置に穴を形成し、先端がＬ字状に折り曲げられたレバー３２をケース１１の天板の穴と仕切板１１ａ，１１ｂの穴に連通し、レバー３２の途中位置と仕切板１１ａとの間にバネ３３を取り付けてラック３１に付勢し、レバー３２を引っ張ると先端がラック３１から外れ、常時はバネ３３の付勢でラック３１に押し付けられるようにしている。ケース１１の背面には、レバー３２を背面側から操作する操作口３４を開口している。ラック３１の歯は、図３に示すように、レバー３２を垂直・４５度・水平の３つの角度で、且つケース１１の枢支位置から正面側に離れた位置で歯合できるように形成されている。
【００１３】
本実施例では、空気清浄機１０を使用する場合、図６（ａ），図７（ａ）に示すように、レバー３２を手前へ引いてラック３１から外し、空気清浄機１０を降ろして垂直の向きにし、レバー３２を元の位置に戻してラック３１と歯合する。また、図４に示すように閉塞板１８を互いに引き出して突き合わせる。
【００１４】
図１に示すように、クロスフローファン１５を作動させると、汚染された空気が下方から吸引されてフィルター１６で浄化した後に上方へ吹き出し、遊技機４０の付近を快適な環境にする。また、図４に示すように、閉塞板１８で遮蔽された空気は左右の空気清浄機１０に吸引されて浄化の効率が向上する。
【００１５】
空気清浄機１０のフィルター１６を交換する場合は、幕板１９を開放し、図６（ｂ），図７（ｂ）に示すように、空気清浄機１０を持ち上げるとレバー３２がラック３１から自然に外れ、空気清浄機１０の傾きが４５度になるとレバー３２がラック３１と歯合する。このとき、空気清浄機１０の持ち上げる際にバネ２４の引張力が加勢され、小さな力で楽に持ち上げることができる。その後、空気清浄機１０から手を離すと、空気清浄機１０の自重とラック３１との歯合とバネ３３の付勢で係止し、空気清浄機１０は４５度の傾斜角度で保持される。したがって、空気清浄機１０を支えることなく両手が空いた状態でフィルター１６を容易に交換できる。
【００１６】
遊技機２０を点検する場合は、幕板１９を開放し、図６（ｃ），図７（ｃ）に示すように、空気清浄機１０を持ち上げるとレバー３２がラック３１から自然に外れ、空気清浄機１０が略水平になるとレバー３２がラック３１と歯合する。このとき、前記と同様に空気清浄機１０の持ち上げる際にバネ２４の引張力が加勢され、小さな力で楽に持ち上げることができる。その後、前記と同様に空気清浄機１０から手を離すと、空気清浄機１０の自重とラック３１との歯合とバネ３３の付勢で係止し、空気清浄機１０は水平に保持される。したがって、空気清浄機１０を支えることなく両手が空いた状態で点検口５１を通じて点検調整部６０を容易に点検できる。
【００１７】
空気清浄機１０を降ろす際は、空気清浄機１０を手で支えた状態でレバー３２を手前へ引いてラック３１から外し、そのレバー３２を引いたままの状態で空気清浄機１０を手で支えながら自重で降ろして垂直の向きにし、レバー３２を離してラック３１と歯合し、その後幕板１９を降ろす。なお、幕板１９は、空気清浄機１０を持ち上げる前に先に開放させるか、空気清浄機１０を持ち上げる際に同時に開放させることもできる。
【産業上の利用可能性】
【００１８】
本発明の技術は、遊技場の他、待合室や飲食店など座席が列設された場所に応用できる。
【図面の簡単な説明】
【００１９】
【図１】実施例の空気清浄機の使用状態を示す説明図である。
【図２】実施例の空気清浄機の内部説明図である。
【図３】実施例の切替保持手段のラックの説明図である。
【図４】実施例の閉塞板の説明図である。
【図５】実施例の幕板の開閉を示す説明図である。
【図６】実施例の空気清浄機の傾動を示す説明図である。
【図７】実施例の空気清浄機の傾動を示す説明図である。
【符号の説明】
【００２０】
１０  空気清浄機
１１  ケース
１１ａ，１１ｂ  仕切板
１２  吸込口
１３  吹出口
１４  通風路
１５  クロスフローファン
１６  フィルター
１７  イオン発生器
１８  閉塞板
１８ａ  スライド溝
１９  幕板
１９ａ，１９ｂ  蝶番
２０  枢支部
２１  吊具
２２  受具
２３  軸
２４  バネ
３０  切替保持手段
３１  ラック
３２  レバー
３３  バネ
３４  操作口
４０  遊技機
５０  垂直壁
５１  点検口
５２  横桟
６０  点検調整部
ｈ  遊技者
【図１】
2010136974.tif 000003
【図２】
2010136974.tif 000004
【図３】
2010136974.tif 000005
【図４】
2010136974.tif 000006
【図５】
2010136974.tif 000007
【図６】
2010136974.tif 000008
【図７】
2010136974.tif 000009